(57)【要約】【課題】  駅員による作業を不要とする振替輸送を実現するシステムを提供することを目的とする。【解決手段】  第１の交通機関の指令部を含む関連部門に、運行情報及び振替輸送情報を送信するとともに、振替輸送を行う第２の交通機関の指令部を含む関連部門に運行情報及び振替輸送情報を送信し、第１の交通機関の指令部及び第２の交通機関の指令部は、振替輸送の際の乗換駅にあるすべての自動改札機に運行情報及び振替輸送情報を送信し、乗り換えをする乗客の電子メールアドレスが格納されるＩＣ内蔵非接触乗車カードを用いて自動改札機を通過した乗客がいる場合、ＩＣ内蔵非接触乗車カードから読み出した電子メールアドレスに従って乗客が所有する携帯端末に、運行情報及び振替輸送情報とともに振替乗車券及び遅延証明書を送信し、乗客が振替乗車券と遅延証明書とを取得する。【選択図】  図１
2005262913.tif 000002
【特許請求の範囲】
【請求項１】
第１の交通機関で列車の支障が生じた際に振替輸送をさせる振替輸送システムにおける振替輸送方法であって、
前記第１の交通機関の指令部を含む関連部門に、前記列車の運行の状態を示す運行情報及び前記振替輸送の情報である振替輸送情報を送信するとともに、前記振替輸送を行う第２の交通機関の指令部を含む関連部門に前記運行情報及び前記振替輸送情報を送信し、
前記第１の交通機関の指令部及び前記第２の交通機関の指令部は、前記振替輸送の際の乗り換え駅にあるすべての自動改札機に前記運行情報及び前記振替輸送情報を送信し、
前記乗り換えをする乗客の電子メールアドレスが格納されるＩＣ内蔵非接触乗車カードを用いて前記自動改札機を通過した乗客がいる場合、前記ＩＣ内蔵非接触乗車カードから読み出した前記電子メールアドレスに従って前記乗客が所有する携帯端末に、前記運行情報及び前記振替輸送情報とともに振替乗車券及び遅延証明書を送信し、
前記乗客が前記振替乗車券と遅延証明書とを取得することを特徴とする振替輸送システムにおける振替輸送方法。
【請求項２】
前記第２の交通機関の指令部は、前記自動改札機に前記運行情報及び前記振替輸送情報を送信する際に、前記乗り換え場所となる駅に備え付けられた表示装置にも当該運行情報及び前記振替輸送情報を送信することを特徴とする請求項１記載の振替輸送方法。
【請求項３】
前記運行情報及び前記振替輸送情報は、ＷＥＢアプリケーションを介して通知されることを特徴とする請求項１又は２記載の振替輸送方法。
【請求項４】
前記第１の交通機関及び前記第２の交通機関の各駅には、前記運行情報及び前記振替輸送情報以外の情報コンテンツも送信することを特徴とする請求項１から３のいずれか１項に記載の振替輸送方法。
【請求項５】
第１の交通機関で列車の支障が生じた際に振替輸送をさせるための振替輸送システムであって、
第１の交通機関の指令部は、前記第１の交通機関の指令部を含む関連部門に前記列車の運行の状態を示す運行情報及び前記振替輸送の情報である振替輸送情報を送信する第１の送信手段と、
前記振替輸送を行う第２の交通機関の指令部を含む関連部門に前記運行情報及び前記振替輸送情報を送信する第２の送信手段と、を備えており、
前記第２の交通機関の指令部は、前記振替輸送の際の乗り換え駅にあるすべての自動改札機に前記運行情報及び前記振替輸送情報を送信する第３の送信手段を備えており、
前記自動改札機は、ＩＣ内蔵非接触乗車カードから読み出した前記電子メールアドレスに従って前記乗客が所有する携帯端末に、前記運行情報及び前記振替輸送情報とともに振替乗車券及び遅延証明書を送信する振替乗車券及び遅延証明書送信手段を備えており、ここで、
前記第１の送信手段が前記運行情報及び振替輸送を送信する際に、前記第２の送信手段も送信し、前記第２の送信手段からの送信があった際、前記第３の送信手段は送信し、前記乗り換えをする乗客の電子メールアドレスが格納されるＩＣ内蔵非接触乗車カードを用いて前記自動改札機を通過した乗客がいる場合、前記振替乗車券及び遅延証明書送信手段は、前記振替乗車券及び前記遅延証明書を送信し、前記乗客が前記振替乗車券と遅延証明書とを取得することを特徴とする振替輸送システム。
【請求項６】
前記第２の交通機関は、前記自動改札機の近傍に表示装置を備えており、ここで、
前記第２の交通機関の指令部は、前記自動改札機に前記運行情報及び前記振替輸送情報を送信する際に、前記表示装置にも当該運行情報及び前記振替輸送情報を送信する手段をさらに備えることを特徴とする請求項５記載の振替輸送システム。
【請求項７】
前記運行情報及び前記振替輸送情報は、ＷＥＢアプリケーションを介して通知されることを特徴とする請求項５又は６記載の振替輸送システム。
【請求項８】
前記第１の交通機関及び前記第２の交通機関の各駅には、前記運行情報及び前記振替輸送情報以外の情報コンテンツも送信することを特徴とする請求項５から７のいずれか１項に記載の振替輸送システム。
【発明の詳細な説明】
【技術分野】
【０００１】
本発明は、振替輸送方法及び振替輸送システムに関し、特に、電子メールを用いて振替乗車券及び遅延証明書を発行する振替輸送方法及び振替輸送システムに関する。
【背景技術】
【０００２】
従来、鉄道事業者において鉄道機器の故障、人身事故等の運行支障時に発生する列車運行の遅延及び振替輸送業務、振替輸送への誘導業務、運行支障時の遅延証明書の配布業務は、駅員が自社の路線及び他事業者の路線で振替輸送の乗車券、遅延証明書を乗客に配布する形態及び誘導等を行っている。
【０００３】
鉄道事業者の運行情報は、顧客に対して非公開の機密情報であった。しかし、近年の鉄道サービスの支障時における改札口での混乱等により、顧客に運行情報を開示する必要性が高まり、運行情報を提供する媒体が増えていること。運行情報以外に鉄道サービス向上、沿線を活性化させる顧客に対するＣＳ（customer service）向上を行う業界の動きがある。
【０００４】
特開２００３−２８５７４１号公報（特許文献３）の運行情報提供システムでは、イントラネット内のＷＥＢサーバに格納するＷＥＢアプリケーションを利用することにより、運行情報を乗降客にインターネット経由で配信している。
【特許文献１】特開２００１−１３８９１７号公報
【特許文献２】特開２００１−２２２７９５号公報
【特許文献３】特開２００３−２８５７４１号公報
【発明の開示】
【発明が解決しようとする課題】
【０００５】
しかしながら、運行支障時に必要なことは、運行情報以外に改札口で混乱した乗客を他の鉄道路線に誘導し混乱を回避することと、駅に向かう乗客を駅の改札口に近づかなくても他の鉄道路線に誘導することである。
さらに、振替輸送時に他の鉄道事業者の乗客が利用するため振替区間となった鉄道事業者は、乗車券の収入があると思われがちであるが、実際は振替輸送時の乗車料金を他の鉄道事業者と年間契約で結んでいる。そのため、事故が多発している箇所路線と並んで路線を営業している鉄道事業者は駅員の派遣などの人件費が高く、効率化したいという要求が高い。
また、この業務は駅改札口で発生する乗客の混乱を駅員が充分に対応できないこと、また、場合によっては他事業者に人を派遣して振替輸送乗車券を配布するための人件費が発生してしまう。
【０００６】
また、情報不足による乗客へ対し混乱を招くなど鉄道事業者が抱える問題となっている。
【０００７】
そこで、本発明は、特開２００３−２８５７４１号公報（特許文献３）に記載の運行情報提供システムと連動し、鉄道指令室から発信される運行情報をトリガに振替輸送の乗車券に換わる振替輸送データ及び振替輸送の他業者への誘導データ、各振替輸送時のルート、予想時間等の情報をＩＣ内蔵非接触乗車カードにて通過した乗客に対して乗客の携帯するモバイル端末、対応自動改札機に自動的に送り、駅員による作業を不要とする振替輸送を実現するシステムを提供することを目的とする。
【課題を解決するための手段】
【０００８】
本発明は、上記課題を解決するための手段として、第１の交通機関で列車の支障が生じた際に振替輸送をさせる振替輸送システムにおける振替輸送方法であって、前記第１の交通機関の指令部を含む関連部門に、前記列車の運行の状態を示す運行情報及び前記振替輸送の情報である振替輸送情報を送信するとともに、前記振替輸送を行う第２の交通機関の指令部を含む関連部門に前記運行情報及び前記振替輸送情報を送信し、前記第１の交通機関の指令部及び前記第２の交通機関の指令部は、前記振替輸送の際の乗り換え駅にあるすべての自動改札機に前記運行情報及び前記振替輸送情報を送信し、前記乗り換えをする乗客の電子メールアドレスが格納されるＩＣ内蔵非接触乗車カードを用いて前記自動改札機を通過した乗客がいる場合、前記ＩＣ内蔵非接触乗車カードから読み出した前記電子メールアドレスに従って前記乗客が所有する携帯端末に、前記運行情報及び前記振替輸送情報とともに振替乗車券及び遅延証明書を送信し、
前記乗客が前記振替乗車券と遅延証明書とを取得することを特徴とする。
【０００９】
また、本発明は、前記第２の交通機関の指令部は、前記自動改札機に前記運行情報及び前記振替輸送情報を送信する際に、前記乗り換え場所となる駅に備え付けられた表示装置にも当該運行情報及び前記振替輸送情報を送信することを特徴とする。
【００１０】
また、本発明は、前記運行情報及び前記振替輸送情報は、ＷＥＢアプリケーションを介して通知されることを特徴とする。
【００１１】
また、本発明は、前記第１の交通機関及び前記第２の交通機関の各駅には、前記運行情報及び前記振替輸送情報以外の情報コンテンツも送信することを特徴とする。
【００１２】
また、本発明は、第１の交通機関で列車の支障が生じた際に振替輸送をさせるための振替輸送システムであって、第１の交通機関の指令部は、前記第１の交通機関の指令部を含む関連部門に前記列車の運行の状態を示す運行情報及び前記振替輸送の情報である振替輸送情報を送信する第１の送信手段と、前記振替輸送を行う第２の交通機関の指令部を含む関連部門に前記運行情報及び前記振替輸送情報を送信する第２の送信手段と、を備えており、前記第２の交通機関の指令部は、前記振替輸送の際の乗り換え駅にあるすべての自動改札機に前記運行情報及び前記振替輸送情報を送信する第３の送信手段を備えており、前記自動改札機は、ＩＣ内蔵非接触乗車カードから読み出した前記電子メールアドレスに従って前記乗客が所有する携帯端末に、前記運行情報及び前記振替輸送情報とともに振替乗車券及び遅延証明書を送信する振替乗車券及び遅延証明書送信手段を備えており、ここで、前記第１の送信手段が前記運行情報及び振替輸送を送信する際に、前記第２の送信手段も送信し、前記第２の送信手段からの送信があった際、前記第３の送信手段は送信し、前記乗り換えをする乗客の電子メールアドレスが格納されるＩＣ内蔵非接触乗車カードを用いて前記自動改札機を通過した乗客がいる場合、前記振替乗車券及び遅延証明書送信手段は、前記振替乗車券及び前記遅延証明書を送信し、前記乗客が前記振替乗車券と遅延証明書とを取得することを特徴とする。
【００１３】
また、本発明は、前記第２の交通機関は、前記自動改札機の近傍に表示装置を備えており、ここで、前記第２の交通機関の指令部は、前記自動改札機に前記運行情報及び前記振替輸送情報を送信する際に、前記表示装置にも当該運行情報及び前記振替輸送情報を送信する手段をさらに備えることを特徴とする。
【００１４】
また、本発明は、前記運行情報及び前記振替輸送情報は、ＷＥＢアプリケーションを介して通知されることを特徴とする。
【００１５】
また、本発明は、前記第１の交通機関及び前記第２の交通機関の各駅には、前記運行情報及び前記振替輸送情報以外の情報コンテンツも送信することを特徴とする。
【発明の効果】
【００１６】
本発明によれば、特開２００３―２８５７４１号公報（特許文献３）に記載の運行情報提供システムに鉄道事業者のイントラネット経由でアクセスし、運行情報（発生理由、どの程度の遅れ、復旧の見込み等）、事前に設定された各関連事業者の振替輸送時のデータ（振替輸送の他事業者への誘導データ、各振替輸送時のルート、予想時間）と同時に国土交通省にて規定される振替輸送番号と運行情報に振替輸送の詳細、振替輸送乗車券が自動で取得できる。
【００１７】
また、本発明によれば、乗客に対してはＩＣ内蔵非接触カードにて通過した乗客へのＩＣ内蔵非接触乗車カード内容から乗車区間、個人情報（電子メールアドレス等）を認識し、携帯するモバイル端末にインターネットを介して自動で送られる。
【００１８】
また、本発明によれば、Ｗｅｂアプリケーションを介してイントラネットワークを構築するデータベース及びメールサーバ等により、システムの一括管理ができる。
【００１９】
また、本発明によれば、運行情報に関しＷｅｂアプリケーションを介して、駅側の各媒体、駅側（ＩＣ内蔵非接触乗車カードにて通過した顧客、外部サイト）以外の各媒体に対して同時に運行情報、振替輸送乗車券を自動で取得する情報を提供することができる。
【００２０】
また、本発明によれば、各司令室及び各駅により、運行情報を提供する各媒体を指定して情報を提供することができ、関連のない媒体に情報を提供しない。
【発明を実施するための最良の形態】
【００２１】
以下、添付図面を参照して本発明を実施するための最良の実施の形態を説明する。
【００２２】
［構成の説明］
図１は、本発明の第１の実施の形態の構成を示すブロック図である。
【００２３】
図１に示すように、本実施の形態は、システムを運用したり管理したりするための操作端末１と、交通機関の指令局に設置される操作端末２及び３と、交通機関の各駅に設置される駅端末４と、交通機関のイントラネットの基幹設備であり、Ｗｅｂサーバ，メールサーバ及びデータベース等が配置されているデータセンタＡ５と、インターネット６と、後記する表示器８及びディスプレイ１４に運行情報及び情報コンテンツを提供するページャ・Ｄｏｐａ網７と、振替輸送を行う第２の交通機関の各駅に設置される表示器８及びディスプレイ１４と、運行情報や振替輸送情報等を通信する携帯電話機網又はＰＨＳ網９と、電子メールにより運行情報を受ける駅職員１０と、電子メールにより運行情報及び情報コンテンツを受ける、ＩＣ内蔵非接触乗車カードとしてのＩＣ内蔵非接触乗車カードにて通過した顧客（お客様）１１と、運行情報を提供するサイトや路線を検索するサイトを提供する外部サイトデータセンタＢ１２と、列車車両の表示器８，ディスプレイ１４及び顧客１１が携帯するモバイル端末（携帯端末）に情報コンテンツを提供する外部サイト（第２の外部サイト）データセンタＣ１３と、データセンタＡ５から送信された振替情報（振替輸送情報）を後記する自動改札機１６に送信するネットワークであるイントラネット１５と、振替情報を認識し登録し、振替輸送のプログラムを起動させる自動改札機１６と、を備えている。
【００２４】
データセンタＡ５は、運行情報を提供するＷｅｂアプリケーション及び電子データの振替輸送乗車券及び運行遅延証明書を発行するＷｅｂアプリケーション及びサーバを備える。
【００２５】
ページャ・Ｄｏｐａ網７は、Ｗｅｂアプリケーションから送信される運行情報をインターネット６を介して各媒体に送られ、表示器８及びディスプレイ１４に運行情報、情報コンテンツを提供する。
【００２６】
外部サイトデータセンタＢ１２は、運行検索サイト及び路線検索サイトであり、Ｗｅｂアプリケーションが提供する運行情報を掲載する。
【００２７】
外部サイト（第２の外部サイト）データセンタＣ１３は、Ｗｅｂアプリケーションを介して、各駅、列車車両の表示器８、ディスプレイ１４、顧客１１が携帯するモバイル端末に情報コンテンツを提供する。
【００２８】
自動改札機１６は、振替情報を認識・登録し、振替輸送のプログラムを起動させる。また、自動改札機１６は、バーコードリーダ（マーク認識手段）を搭載しており、モバイル端末の画面に表示された振替輸送の情報を読み取り振替輸送を行う。
【００２９】
駅職員１０は、電子メールにより運行情報を受ける。この電子メールには、運行情報の他に振替乗車券、運行遅延証明書を取得するためのＵＲＬが記載されており、振替輸送乗車券、運行遅延証明書を取得するために利用される。
【００３０】
顧客（お客様、利用者）１１は、携帯端末（図示せず）を利用して電子メールにより運行情報、情報コンテンツを受ける。
【００３１】
お客様（利用者）１７は、表示器８及びディスプレイ１４等の表示媒体８、１４に内蔵される無線ＬＡＮ、ブルートゥースから振替輸送乗車券、運行遅延証明書を取得するためのＵＲＬの内容を携帯端末（図示せず）を利用して受信する。
【００３２】
［動作の説明］
以下、本実施の形態の動作について説明する。
【００３３】
図２は、本実施の形態の動作を示すシーケンスである。
【００３４】
図２に示すように、図１におけるシステム管理者は、イントラネットを介して操作端末１より、Ｗｅｂブラウザを使用してＷｅｂアプリケーションにアクセスし（ステップＳ２０１）、運行情報、振替輸送情報を登録し、各指令局、各駅に設置する端末のアドレス及び運行情報、振替輸送情報を登録する職員のアカウントを登録・更新する。
【００３５】
また、運行情報を提供する表示器、ディスプレイ、駅職員、顧客のアドレスを登録・更新する。
【００３６】
さらに、運行支障時に運行情報とともに各媒体に送る振替情報を登録・更新する。
【００３７】
また、運行情報、振替輸送情報以外のお知らせ、広告等の情報をＷｅｂアプリケーションの指定の枠に登録し、各媒体（図１のプラズマディスプレイ等の表示媒体８、駅職員１０、顧客１１、プラズマディスプレイ等の表示媒体１４、自動改札機１６）に送る準備をする。
【００３８】
また、運行情報、振替輸送情報以外のお知らせ、広告等の情報をＷｅｂアプリケーションの指定の枠に登録し、各媒体（図１の表示媒体８、駅職員１０、顧客１１、表示装置１４、自動改札機１６）に送ることができる（ステップＳ２０２、２０３、２０４）。
【００３９】
各指令局２及び３は、鉄道運行支障時に運行情報、振替輸送の情報を運用管理者と同様にＷｅｂアプリケーションにアクセスし指定の緊急情報の枠に情報を登録し、各媒体に情報を送る。（ステップＳ２０２、２０３、２０４）。
【００４０】
各駅４は、各駅のお知らせ、運行情報をＷｅｂアプリケーションの指定の枠に登録し、各駅の媒体８及び１０）、ＩＣ内蔵非接触乗車カードにて通過した顧客１１（ステップＳ２０５）に送ることができる（ステップＳ２０４）。
【００４１】
このようにＷｅｂアプリケーションは、運行情報、振替輸送情報、お知らせ、広告等を登録できる枠を持ち、各利用者、メッセージ用途により利用できる枠が指定されている。
【００４２】
また、各枠には、優先順位が設定されており、緊急度の高い運行情報、振替輸送を優先して情報を提供する機能を有する。
【００４３】
さらに、運行情報、振替輸送情報、お知らせ、広告等は、内容に応じて、情報を登録する運用者が提供しようとする各媒体を選択することができる。
【００４４】
また、運行情報、振替輸送情報に関しては、外部サイト１２の指定するファイルに対して自動的に運行情報、振替輸送情報を送ることができる。
【００４５】
情報コンテンツ１３であり、主に天気予報、ニュース、広告、お知らせ、顧客へのマーケティング調査をＷｅｂアプリケーションの指定枠に登録し、表示器８、駅職員１０、顧客１１、ディスプレイ１４に送ることができる。
【００４６】
また、システム運用管理者１は、お知らせ、顧客へのマーケティング調査を表示器８、駅職員１０及び顧客１１に送ることができる。
【００４７】
顧客１１へのマーケティング調査の結果として返信された内容は、ＷＥＢアプリケーションにより集計解析することができ、システム運用管理者１及び外部サイト１３がその情報を得ることができる。
【００４８】
振替輸送情報等は、ステップＳ２０５のＩＣ内蔵非接触乗車カードにて通過したお客様が取得し、振替輸送乗車券または運行遅延証明書をステップＳ２０５にて認識した乗車区間、個人情報（電子メールアドレス等）にて自動でモバイル端末に送信される。（ステップＳ２０６）
振替輸送を実施している駅改札口に向かい振替輸送乗車券の画面を自動改札機のバーコードリーダに読み込ませ振替の乗車を行う。
【００４９】
他の方法として、振替輸送は、顧客が携帯するモバイル端末を利用して振替輸送情報、遅延証明書を取得することが出来る（ステップＳ２０９）。
【００５０】
表示器８及びディスプレイ１４の各媒体は無線ＬＡＮ、ブルートゥース端末を内蔵しており、顧客１７のＩＣ内蔵非接触乗車カードにて通過した顧客（ステップＳ２１０）のモバイル端末へ振替情報を送信し（ステップＳ２０９）、振替輸送乗車券、遅延証明書を自動で取得できる（ステップＳ２１１）ことができる。
【００５１】
顧客１７は、振替輸送を実施している駅改札口に向かい振替輸送乗車券の画面を自動改札機のバーコードリーダに読み込ませ振替の乗車を行う。
【００５２】
自動改札口１６は、振替輸送情報をもとに振替輸送を実施するためのプログラムを起動させる。
【００５３】
ステップＳ２０７及び２１２で顧客のモバイル端末に表示されるバーコードリーダを読み取り、認識し顧客の振替輸送を実施する。
【００５４】
振替輸送を実施した情報は、データセンタＡ５に送られ振替輸送結果が管理される。
【００５５】
自動改札機の機能として近年非接触ＩＣカード型の乗車券が鉄道事業者にて利用されており、本システムにおいても、データセンタＡ５から送られる振替輸送情報を自動改札機に送り、他事業者で利用の非接触ＩＣカード型乗車券を利用している顧客に対して振替輸送を実施することができる。
【００５６】
振替輸送の結果は、全てデータセンタＡ５にて管理され、振替輸送結果データベースに保存され、他事業者へ料金を請求するデータとして扱われる。
【００５７】
［本発明の他の実施形態］
本発明を利用した他の実施形態を説明する。ＷＥＢアプリケーションにて各媒体個別のアドレスが登録されていることにより、各駅に限定した天気予報、地域広告等の情報を顧客に提供することができる。
【図面の簡単な説明】
【００５８】
【図１】本発明の第１の実施形態のシステムを示すブロック図である。
【図２】本発明の第１の実施形態のシステムの動作を示すシーケンスである。
【符号の説明】
【００５９】
１  システム運用管理操作端末
２  指令局の操作端末
３  指令局の操作端末
４  各駅の操作端末
５  データセンタＡ
６  インターネット
７  ページャ・Ｄｏｐａ網
８  表示器
９  携帯電話機・ＰＨＳ網
１０  駅職員
１１  顧客
１２  外部サイトデータセンタＢ
１３  外部サイトデータセンタＣ
１５  イントラネット
１６  自動改札機
【図１】
2005262913.tif 000003
【図２】
2005262913.tif 000004